【事件の表示】
　平成７年特許願第１７４０７２号「磁気情報の転写装置及びそれに用いる磁気情報記憶手段」拒絶査定不服審判事件〔平成９年１月７日出願公開、特開平９−５０２〕について、次のとおり審決する。
【結　論】
　本件審判の請求は、成り立たない。
【理　由】
１．本願は、平成７年６月１６日の出願であって、平成１２年３月２１日手続補正書によって補正された明細書（以下、単に「本件明細書」という。）の特許請求の範囲の記載は次のとおりである。
【請求項１】生体に固有の周波数からなる磁気情報を転写する装置であって、左右に配置された一対のコイル手段と、前記コイル手段の各々の上方に設けられたアンテナと、前記コイル手段に磁界発生用電流を送給する駆動手段と、前記駆動手段が前記左右のコイルに送給する電流のパターンを制御する装置とを有し、前記コイル手段の一方の上方に磁気情報を有する第一の物体が載置されるとともに、他方のコイルの上方に磁気情報リセプターを有する第二の物体が載置され、前記電流パターンに従って発生した磁界が前記第一の物体を透過することにより生体固有周波数を含む磁界となって前記第二の物体を透過し、もって前記磁気情報が前記第一の物体から前記第二の物体へ転写されることを特徴とする磁気情報転写装置。
【請求項２】請求項１に記載の磁気情報転写装置において、左右のコイルに送給される電流のパターンはいずれも方形波であり、一方のコイルに電流が送給されている間は他方のコイルは停止し、かつ両コイルとも停止する期間があるタイミングであることを特徴とする磁気情報転写装置。
【請求項３】請求項１又は２に記載の磁気情報転写装置において、前記第一の物体及び前記第二の物体のいずれかが、磁気情報リセプターを有する磁気情報記憶手段であることを特徴とする磁気情報転写装置。
【請求項４】請求項１乃至３のいずれかに記載の磁気情報転写装置において、前記コイル手段の各々は直列に接続された３つのソレノイドコイルからなり、前記３つのソレノイドコイルは等距離に配置されており、前記アンテナは前記３つのソレノイドコイルの上に同心状に設置されていることを特徴とする磁気情報転写装置。
【請求項５】請求項１乃至４のいずれかに記載の磁気情報転写装置において、前記磁気情報記憶手段の表面に設けられた電流パターン表示手段を読み取る手段を有し、前記読取手段の出力信号に応じて前記左右のコイルに送給される電流のパターンが設定されることを特徴とする磁気情報転写装置。
【請求項６】請求項１乃至５のいずれかに記載の磁気情報転写装置において、前記表示手段は記号及び／又は数字からなるコードであり、前記読取手段は光学センサであることを特徴とする磁気情報転写装置。
【請求項７】生体に固有の周波数からなる磁気情報を記憶する手段であって、磁気情報リセプターを封入した電磁界透過性のケーシングからなることを特徴とする磁気情報記憶手段。
【請求項８】請求項７に記載の磁気情報記憶手段において、前記磁気情報リセプターとして偏平四面体形結晶形態の塩化ナトリウム又はその水溶液を含浸した基材層と、前記基材層を密封するプラスチック製ケーシングとからなることを特徴とする磁気情報記憶手段。
【請求項９】−【請求項11】；省略
　
２．原査定の拒絶の理由の概要は、「請求項１〜６について「生体に固有の周波数を含む磁気情報を転写する」ということが、具体的にどのような現象を指しているのか不明であり、また、請求項７〜１１について「生体に固有の周波数を含む磁気情報を記憶する」ということが具体的にどのような現象を指しているのか不明であり、この出願は、明細書及び図面の記載が特許法第３６条第４項及び第６項第２号に規定する要件を満たしていない。」というものである。
　
３．上記の点につき、以下、検討する。
３−１　本件明細書には、生体に固有の周波数を含む磁気情報やその転写に関し次の記載がある。
「【０００２】
【従来の技術及び発明が解決しようとする課題】
　人間を含むあらゆる生体は起電力源となる細胞や情報の伝達を行う神経等で構成され、生体自身が磁場を有する。この磁場は各生体に固有のもので「磁気情報」と呼ばれる。また生体の排出物や、生体から切り離された部分（例えば毛髪等）も同様の磁気情報を有する。この磁気情報は非常に微弱であるので、定量的に測定するのは困難であるが、外部電磁界との共鳴の有無を観察することにより検知することができる。
【０００３】
　このような生体の共鳴磁場を測定する装置として、いわゆる磁気共鳴分析装置（ＭＲＡ）が提案されている（米国特許第1962565 号、特開平6-130008号）。これらの磁気共鳴分析装置では、高周波電場をアンテナから被検体に放射し、被検体の共鳴信号を検知することによりその磁気情報を検出している。
【０００４】
　磁気共鳴分析装置により検出した生体又はその関連物質（例えば毛髪、血液、尿等の生体から切除又は排出されたもの）の磁気情報を有効にあるいは大量に利用しようとする場合、その磁気情報を複製し保存することが必要になる。しかしながら、上記磁気共鳴分析装置（空洞コイルを具備する）では、被検体の磁気情報を検出することができるが、転写の感度が低いために、必ずしも正確ではないという問題があった。」
　
　しかしながら、現実の測定値として生体に固有の周波数を含む磁気情報なるものを検知したり、転写することができたと認めるに足りる根拠（第三者による追試実験など）は本件明細書に記載されておらず、通常の当業者にとっては、生体に固有の周波数を含む磁気情報なるものが検知できる物理量として存在するのか、転写できるのか、不明である。
　
３−２　また、本件明細書には、次の記載がある。
「【０００６】
【課題を解決するための手段】
　上記目的を達成すべく鋭意研究の結果、本発明者は、生体又はその関連物質は磁気情報を有するとともにそれを記憶する性質を有し、２種の生体又はその関連物質を特殊な磁界中に載置すれば一方から他方へ磁気情報が転写され、転写された磁気情報は非常に長期間保存されることを発見した。また本発明者は、生体又はその関連物質以外でも磁気情報リセプターを有する物質であれば、同様に磁気情報を転写することができることを発見した。本発明はかかる発見に基づき完成したものである。
【０００７】
　すなわち、生体に固有の周波数からなる磁気情報を転写する本発明の装置は、左右に配置された一対のコイル手段と、前記コイル手段の各々の上方に設けられたアンテナと、前記コイル手段に磁界発生用電流を送給する駆動手段と、前記駆動手段が前記左右のコイルに送給する電流のパターンを制御する装置とを有し、前記コイル手段の一方の上方に磁気情報を有する第一の物体が載置されるとともに、他方のコイルの上方に磁気情報リセプターを有する第二の物体が載置され、前記電流パターンに従って発生した磁界が前記第一の物体を透過することにより生体固有周波数を含む磁界となって前記第二の物体を透過し、もって前記磁気情報が前記第一の物体から前記第二の物体へ転写されることを特徴とする。
【０００８】
【作用】
　本発明者の研究によれば、磁界路内の近傍にアンテナを有する一対のコイルの一方に磁気情報を有する物体を載置するとともに、他方に磁気情報リセプターを含有する物体を載置し、両コイルから方形波状の磁界を交互に発生させると、一方の物体の磁気情報が他方の物体に転写されることが分かった。この現象の原理は明確ではないが、磁気情報が生体に固有の周波数からなり、かつ物体に磁気情報リセプターが含まれていれば、非常に微弱な磁界でも磁気情報の転写が起こり得るためであると考えられる。この際各コイル手段上に設けられたアンテナは磁気情報信号を増幅する作用があると考えられる。いずれか一方の物体が生体又はその関連物質以外の磁気情報リセプター含有物質の場合にも、同様に磁気情報の転写が可能である。」
　
　しかしながら、上記（【０００６】）の発見が現実になされたと認めるに足りる根拠は本件明細書に記載されていない。
　そして、通常の当業者にとっては、「一方の磁気情報が他方の物体に転写される」との意味は不明であるばかりでなく、【０００７】に記載されている装置によって、他方の物体の状態や性質が変化するとは考えがたいことである。
　
３−３　磁気情報リセプターにつき、本件明細書には、次のように記載されている。
「【０００９】
　ここで磁気情報リセプターとは、生体固有周波数を含む電磁界（電界又は磁界）の照射によりその電磁界が有する磁気情報が転写される物質である。生体固有周波数を含む磁界としては、例えば生体又はその関連物質を透過した磁界がある。生体又は磁気情報リセプターとしては塩化ナトリウムがあり、例えば特開平1-284588号及び同2-9714号に記載されている偏平四面体形結晶形態の塩化ナトリウムを使用することもできる。この磁気情報リセプターを封入した電磁界透過性のケーシングをカードとして用いれば、フロッピーディスクか光ディスクのように、生体の磁気情報を任意に記憶させておくことができる。」
　
　しかしながら、そもそも、通常の当業者にとっては、「一方の磁気情報が他方の物体に転写される」との意味は不明であるばかりでなく、【０００７】に記載されている装置によって、他方の物体の状態や性質が変化するとは考えがたいことである。
　また、「生体固有周波数を含む電磁界」の意味も不明であり、さらに、特開平1-284588号及び同2-9714号に記載されている偏平四面体形結晶形態の塩化ナトリウムなるものが、生体固有周波数を含む電磁界（電界又は磁界）の照射によりその電磁界が有する磁気情報が転写されるものであると認めるに足りる根拠（第三者による追試実験など）は本件明細書に記載されていない。
　
３−４　本件明細書には、
「【０００１０】
【実施例】
[1] 磁気情報転写装置及び記憶手段の構造
　図１は本発明の好ましい実施例による磁気情報転写装置を概略的に示す。・・・・図２に示すように、・・・・コイルＬ4 、Ｌ5 、Ｌ6 が等間隔で設けられている。なお、コイルＬ1 、Ｌ2 、Ｌ3 、Ｌ4 、Ｌ5 、Ｌ6 の配置はこの実施例に限らず、アンテナ部と同心円状であればよい。
【００１４】
　環状アンテナ部（５ａ−５ｄ、６ａ−６ｄ）の長さは、生体に固有の周波数（生体が共鳴する周波数）の逆数に比例している。生体固有周波数は６Ｈｚ、７Ｈｚ、８Ｈｚ、10Ｈｚ、13Ｈｚ、17Ｈｚ、22Ｈｚ等であり、なかでも８Ｈｚ、10Ｈｚ、13Ｈｚ、17Ｈｚの周波数が重要である。これらの周波数以外では生体に対する影響力が小さい。好ましい具体例としては、各アンテナ部の長さを1000／６ｍｍ、1000／７ｍｍ・・・1000／22ｍｍ又はその数倍の長さとする。このようなアンテナ部の構成とすることにより、アンテナ５、６のエンハンス効果が大きくなる。」
と記載されているが、通常の知識を有する当業者にとって、上記実施例として記載・図示された装置とその駆動により、生体に固有の周波数を含む磁気情報なるものが検知できるとは考えがたく、さらに、生体に固有の周波数を含む磁気情報なるものが別の物体へ転写されることも考えがたい。
　
　そして、「生体固有周波数は６Ｈｚ、７Ｈｚ、８Ｈｚ、10Ｈｚ、13Ｈｚ、17Ｈｚ、22Ｈｚ等であり」の根拠が不明であるばかりでなく、「各アンテナ部の長さを1000／６ｍｍ、1000／７ｍｍ・・・1000／22ｍｍ又はその数倍の長さとする。」根拠も不明である。
　
３−５　本件明細書には、
【００１５】
　環状アンテナ部５ａ−５ｃ、６ａ−６ｃには装置の金属製筐体10にアースするリード線11が接続しており、また環状アンテナ部５ａ−５ｃと環状アンテナ部６ａ−６ｃはリード線12により相互に接続している。これらのアースにより両アンテナ５、６の電位は装置の筐体10と常に一致する。」
と記載されているが、両アンテナ５、６の電位が装置の筐体10と常に一致するのであれば、アンテナ５とアンテナ６と筐体10とは同電位であって、電気的にはアンテナとしての意味もアンテナが２つあることの意味も不明である。
　
３−６　本件明細書には、
「【００２２】
　磁気情報（「気」）の流れを逆にするには、両コイル１、２から発生させる磁界をいずれもＮ極とすればよい。この場合には金属毒、バクテリア毒等の毒性の除去の作用が得られる。
　いずれの場合にも、各コイル手段１、２に流す電流の極性（方向）、期間及び回数を制御する信号は、図８に示すカードセンサ８の読取信号から得られる。カードセンサ８の出力信号は制御装置４で処理され、駆動回路３に送給される。駆動回路３はそれから所定の方形波状の電流Ｉを出力し、各コイル手段１、２に送給する。」
と記載されているが、通常の当業者にとって、両コイル１、２から発生させる磁界をいずれもＮ極とすれば磁気情報（「気」）の流れを逆にすることができるとか、この場合には金属毒、バクテリア毒等の毒性の除去の作用が得られるとか、の意味が不明であるばかりでなく、そのようなことができるとは考えがたいことである。
　
３−７　本件明細書には、
「【００２５】
・・・コイル１、２に発生するこのような磁界のパターンにより、カード20の磁気情報は手40又は磁気情報リセプター含有水に転写される。この方法によれば、磁気情報が記憶されたカード20を用いて、磁気情報の転写が簡単に行える。カード20の磁気情報が治療用であれば、カード20を用いて治療を繰り返し簡単に行える。また種々の治療用のカード20を作成すれば、必要に応じてカード20を選択するだけで、容易に治療を行うことができる。
【００２６】
(3) 同じ生体の２つの部分を別々にアンテナ上に載置して磁気情報の転写を行う場合
　例えば、人間の一方の手をアンテナ５の上に載置して、他方の手をアンテナ６の上に載置し、両者間に磁界を流すと、一方の手から磁気情報が発信されて他方の手に入る。この場合、両方の手が同一人のものであるので、人体内を「気」が廻ったのと同じ現象となる。生理現象としては明確に解明されていないが、この作用により、瞑想状態を体験でき、ストレスの解消になることが分かった。
【００２７】
【発明の効果】
　以上詳述したように、本発明の磁気情報転写装置は、生体に固有の周波数を含む磁気情報を生体又はその関連物質と磁気情報リセプター含有物質との間で転写することができる。従って、磁気情報を転写した磁気情報リセプター含有物質を簡単かつ大量に製造することができ、生体の治療・調整、糞尿・排水等の処理等に利用することができる。また磁気情報記憶手段として、磁気情報リセプターを封入したカードを用いれば、磁気情報の転写、再生が非常に簡単になる。」
と記載されているが、通常の当業者にとっては、これらの意味が不明であるばかりでなく、本件明細書に記載されたような現象が起こるとは考えがたい。
　
４．以上の検討によれば、「生体に固有の周波数を含む磁気情報を転写する」ということが、具体的にどのような現象を指しているのか不明であり、「生体に固有の周波数を含む磁気情報を記憶する」ということが具体的にどのような現象を指しているのか不明であって、請求項１〜請求項６、請求項７〜請求項１１に係る発明が明確でないばかりでなく、明細書において当業者が容易に実施することができる程度に説明されているとは認められないから、本件出願は、明細書及び図面の記載が特許法第３６条第４項及び第６項第２号に規定する要件を満たしていない。
　よって、結論のとおり審決する。